(57)【特許請求の範囲】
【請求項１】
少なくとも色材と、これを溶解するための水性液媒体とを有するインクにおいて、色材として、Ｃ．Ｉ．アシッドレッド５２と、少なくとも１種の直接染料とを含み、Ｃ．Ｉ．アシッドレッド５２の含有量がインク全量に対して０．１〜０．４質量％であり、直接染料の含有量がインク全量に対して０．１１〜０．４質量％であり、且つ、Ｃ．Ｉ．アシッドレッド５２に対して直接染料が１．６重量倍以下の範囲で含有されることを特徴とする蛍光インク。
【請求項２】
直接染料が、２以上のアゾ基を有する染料である請求項１に記載の蛍光インク。
【請求項３】
直接染料が、２量体構造を有する請求項２に記載の蛍光インク。
【請求項４】
水性液媒体が、水を含んでいる請求項１〜３のいずれか１項に記載の蛍光インク。
【請求項５】
水性液媒体が、水溶性有機溶剤を含んでいる請求項１〜４のいずれか１項に記載の蛍光インク。
【請求項６】
互いに相溶性がなく、水の蒸発に伴って液−液の状態で分離を生じる第１及び第２の有機化合物を更に含み、該第１及び第２の有機化合物は、前記水性液媒体に溶解又は分散されるものである請求項４又は５に記載の蛍光インク。
【請求項７】
前記第１及び第２の有機化合物の一方は、溶解度パラメーター値が１５以上であって、他方は溶解度パラメーター値が１３以下である請求項６に記載の蛍光インク。
【請求項８】
前記第１及び第２の有機化合物は、共に水溶性である請求項６又は７に記載の蛍光インク。
【請求項９】
前記第１及び第２の有機化合物の一方がグリセリン基を有している請求項６に記載の蛍光インク。
【請求項１０】
前記グリセリン基を有している化合物が、水酸基を３個以上有している請求項９に記載の蛍光インク。
【請求項１１】
前記第１及び第２の有機化合物の一方が、ノニオン系界面活性剤である請求項６に記載の蛍光インク。
【請求項１２】
前記ノニオン系界面活性剤のＨＬＢ値が、１３以下である請求項１１に記載の蛍光インク。
【請求項１３】
前記ノニオン系界面活性剤は、色材を除いたインクの状態で、インク界面で分離しない量をインク中に含有されている請求項１１又は１２に記載の蛍光インク。
【請求項１４】
前記ノニオン系界面活性剤が、アセチレン基を有している請求項１１に記載の蛍光インク。
【請求項１５】
前記ノニオン系界面活性剤が、下記一般式（II）で示される構造である請求項１４に記載の蛍光インク。
0004994541.tif 000019
［上記一般式（II）において、Ａ及びＢは夫々独立に、ＣnＨ2n+1、ｎは１〜１０の整数を表し、Ｘ及びＹは、開環したエチレンオキサイドユニット及び／又は開環したプロピレンオキサイドユニットを表す。］
【請求項１６】
ノニオン系界面活性剤が、インク全量を基準として１質量％以上含有されている請求項１１〜１５のいずれか１項に記載の蛍光インク。
【請求項１７】
更に、一価アルコールを含んでいる請求項６〜１６のいずれか１項に記載の蛍光インク。
【請求項１８】
前記直接染料の親水基の対イオンとしてアンモニウムイオンを含む請求項１〜１７のいずれか１項に記載の蛍光インク。
【請求項１９】
インクジェット用インクである請求項１〜１８のいずれか１項に記載の蛍光インク。
【請求項２０】
請求項１９に記載の蛍光インクを収容しているインク収容部、及び該インクを吐出させるためのヘッド部を備えていることを特徴とする記録ユニット。
【請求項２１】
請求項１〜１９のいずれか１項に記載の蛍光インクを収容しているインク収容部を具備していることを特徴とするインクカートリッジ。
【請求項２２】
請求項１９に記載の蛍光インクにエネルギーを与えて、記録ヘッドから吐出させる工程を有することを特徴とするインクジェット記録方法。
【請求項２３】
請求項１９に記載の蛍光インクを収容しているインク収容部と、該インクを吐出させるための記録ヘッド部とを有することを特徴とするインクジェット記録装置。
【発明の詳細な説明】
【０００１】
【発明の属する技術分野】
本発明は、蛍光性を示す画像の形成が可能な蛍光インク、該インクを用いた、インクカートリッジ、記録ユニット、インクジェット記録方法及びインクジェット記録装置に関する。
【０００２】
【従来の技術】
インクジェット記録方法には、例えば、静電吸引方法、ピエゾ素子による機械的振動又は変位を利用する方法、インクを加熱することにより気泡を発生させ、このときに発生する圧力を利用する方法等、様々のインク吐出方式がある。近年、これらの技術を利用し、様々な用途で使用可能なインクが求められている。かかる用途は、単に美麗な有色画像を形成することに留まらず、例えば、インクに蛍光性を持たすことで、文字、数字、記号、バーコード等の情報を記録媒体に記録し、適当な波長の紫外光を照射することにより蛍光インクを発光させて、可視情報以外の情報（例えば、セキュリティ情報等）を付与する技術展開が提案されている。このように、蛍光性を示すインクの用途は多方面に拡大する余地があり、安定で信頼性のある蛍光強度の高い発色性に優れたインクの開発が待望されている。蛍光性を示す色材（以下、蛍光色材と呼ぶ）の蛍光性に着目したインクに関する提案としては、例えば、特開平８−１５１５４５号公報、同９−１３２７２９号公報、同１０−１９３７７５号公報、同１０−２９８４６２号公報、同１０−２９８４６７号公報及び特許第２３３０３８号公報等に記載されたものがあり、新たな記録方法や蛍光色材が提案されている。
【０００３】
蛍光色材を用いた提案としては、例えば、特開平５−２９３９７６号公報、同６−１９１１４３号公報、同６−３２２３０７号公報、同７−００９７５５号公報、同７−３０５０１３号公報、同８−０５３６３９号公報、同９−００３３７５号公報、同９−００１２９４号公報、同９−１３７０９７号公報、同９−１３７０９８号公報、同９−１３７０９９号公報、同９−１６５５３９号公報、同９−２４１５６５号公報、同９−２５５９０４号公報、同９−２８６９３９号公報、同１０−００７９６２号公報、同１０−１８３０４３号公報、同１１−０８０６３９号公報、同１１−３２０９２１号公報、特開２０００−０３８５２９公報、特許第２９９５８５３号公報等が挙げられる。
【０００４】
水性インク中で使用が可能な水溶性の蛍光性染料としては、例えば、Ｃ．Ｉ．（カラーインデックスナンバー）ベーシックレッド１、Ｃ．Ｉ．ベーシックレッド２、Ｃ．Ｉ．ベーシックレッド９、Ｃ．Ｉ．ベーシックレッド１２、Ｃ．Ｉ．ベーシックレッド１３、Ｃ．Ｉ．ベーシックレッド１４、Ｃ．Ｉ．ベーシックレッド１７、Ｃ．Ｉ．アシッドレッド５１、Ｃ．Ｉ．アシッドレッド５２、Ｃ．Ｉ．アシッドレッド９２、Ｃ．Ｉ．アシッドレッド９４、Ｃ．Ｉ．ベーシックバイオレット１、Ｃ．Ｉ．ベーシックバイオレット３、Ｃ．Ｉ．ベーシックバイオレット７、Ｃ．Ｉ．ベーシックバイオレッド１０及びＣ．Ｉ．ベーシックバイオレット１４等が挙げられる。
【０００５】
これらの中で、励起波長が２６０ｎｍ付近、発光が５８０〜６４０ｎｍであるＣ．Ｉ．アシッドレッド５２は、蛍光強度が非常に強く、又、水に対する溶解性も非常に良好で、更には、他の塩基性蛍光染料等に比べ安全性にも特に問題がないために、インクジェット用の蛍光インクの色材として非常に適した染料である。
【０００６】
【発明が解決しようとする課題】
しかしながら、Ｃ．Ｉ．アシッドレッド５２は、耐水性が非常に悪いために、かかる染料を含むインクジェット用蛍光インクで形成した印字物は、水に触れると、蛍光性という特徴が無くなるばかりでなく、印字した内容も完全に消失してしまう場合があった。即ち、記録した情報そのものが消失してしまうことがあった。
【０００７】
従って、本発明の目的は、蛍光強度の強い画像を与え、しかも、耐水性が良好な印字物の形成が可能な蛍光インク、特に、蛍光強度の強い良好な色調の赤色画像を与え、しかも、耐水性が良好な印字物の形成が可能な蛍光インク、これらの蛍光インクを用いたインクカートリッジ、記録ユニット、インクジェット記録方法及びインクジェット記録装置を提供することにある。尚、本発明における良好な耐水性の意味は、水に触れた際に蛍光画像が維持されている場合ばかりではなく、蛍光は失われていても、印字した情報が目視で認識可能な状態で維持されている場合をも包含している。
【０００８】
【課題を解決するための手段】
上記の目的は、以下の本発明によって達成される。即ち、本発明の一実施態様は、少なくとも色材と、これを溶解するための水性液媒体とを有するインクにおいて、色材として、Ｃ．Ｉ．アシッドレッド５２と、少なくとも１種の直接染料とを含み、Ｃ．Ｉ．アシッドレッド５２の含有量がインク全量に対して０．１〜０．４質量％であり、直接染料の含有量がインク全量に対して０．１１〜０．４質量％であり、且つ、Ｃ．Ｉ．アシッドレッド５２に対して直接染料が１．６重量倍以下の範囲で含有されることを特徴とする蛍光インクを提供することである。
【０００９】
又、本発明の好ましい形態としては、インクに含有させる直接染料の染料分子の構造が、２以上のアゾ基を有するもの、又、２量体構造を有する蛍光インクが挙げられる。
【００１５】
本発明の他の実施態様は、上記のような構成を有する蛍光インク組成に加えて、更に、互いに相溶性がなく、水の蒸発に伴って液−液の状態で分離を生じる第１及び第２の有機化合物を含み、該第１及び第２の有機化合物は、前記水性液媒体に溶解又は分散されるものである蛍光インクを提供する。
そして、これらの蛍光インクは、例えば、インクジェット記録方式に用いることのできる蛍光インクとすることができるものである。
【００１６】
又、本発明の他の実施態様は、上記のインクジェット用の蛍光インクを収容しているインク収容部、及び該インクを吐出させるためのヘッド部を備えていることを特徴とする記録ユニットを提供する。
又、本発明の他の実施態様は、上記の蛍光インクを収容しているインク収容部を具備していることを特徴とするインクカートリッジを提供する。
又、本発明の他の実施態様は、上記のインクジェット用の蛍光インクにエネルギーを与えて、記録ヘッドから吐出させる工程を有することを特徴とするインクジェット記録方法を提供する。
更に、本発明の他の実施態様は、上記のインクジェット用の蛍光インクを収容しているインク収容部と、該インクを吐出させるための記録ヘッド部とを有することを特徴とするインクジェット記録装置を提供する。
【００１７】
【発明の実施の形態】
以下、本発明の好ましい実施の形態を挙げて本発明を詳細に説明する。
（第一の実施態様）
本発明の第一の実施態様にかかる蛍光インク（以下「第１形態にかかるインク」と呼ぶ）は、色材として、Ｃ．Ｉ．アシッドレッド５２と、少なくとも１種の直接染料と、これらを溶解している水性液媒体とを含んでいる点に一つの特徴を有している。ここで、Ｃ．Ｉ．アシッドレッド５２は、先に挙げたような数ある蛍光性を有する染料の中から選択したものであって、蛍光強度が非常に強く、又、水に対する溶解度も非常に良好である。
【００１８】
しかしながら、前述したように、この染料を単独で使用してインクとした場合には、形成された印字物の耐水性が非常に弱いという問題がある。これに対して、本発明者らは、鋭意検討した結果、先ず、蛍光強度の強い画像を与え、しかも印字物が水に触れた場合においても、印字した内容が消えることがない蛍光インクとするためには、色材として、上記Ｃ．Ｉ．アシッドレッド５２に加えて、直接染料を少なくとも１種混合させ、且つ、Ｃ．Ｉ．アシッドレッド５２と直接染料とを特定の量で含有させることが有効であることを知見して本発明に至った。
【００１９】
更に、本発明者らは、印字物の耐水性が良好であって、しかも、蛍光強度の強い赤色の画像を与えることのできるインクについて検討を重ねた結果、併用させる直接染料を選択する場合に、色調が、Ｌ*ａ*ｂ*表示系で、ａ*が−２０以上６０以下、ｂ*が−５以上６０以下、且つ、√（ａ*2＋ｂ*2）が３０以上の範囲で示される色材を使用することが特に有効であることを見いだした。ここでいう上記の値は、ジエチレングリコール３０質量％、色材５質量％及び水６５質量％を含むインクを、記録信号に応じた熱エネルギーをインクに付与することによりインクを吐出させるオンデマンド型マルチ記録ヘッドを有するインクジェット記録装置ＢＪＣ−４０００（キヤノン製）を用いて、普通紙（キヤノン製ＰＢペーパー）に１００％のベタ印字を行い、村上色彩（株）の分光測色システムＣＭＳ−５００により、ＪＩＳ  Ｚ  ８７２２に準じて、色彩の測定を行った時の数値である。
【００２０】
又、本発明者らは、種々の直接染料について検討した結果、特に、染料分子の構造が、２以上のアゾ基を有し、且つ、２量体構造を有するもの、更に具体的には、先に挙げた一般式（Ｉ）で表される染料を併用すれば、特に耐水性に優れた印字物が得られ、又、他の染料を併用させた場合に比べて、Ｃ．Ｉ．アシッドレッド５２の蛍光性が顕しく阻害されることがない点でも好ましく、更には、蛍光赤色インクとして使用する場合には最適な色味を有するものとなるため、この点でも好適であることがわかった。
以下、第１形態にかかるインクの構成材料について説明する。
【００２１】
第１形態にかかるインクにおいて、Ｃ．Ｉ．アシッドレッド５２と併用可能な直接染料について説明する。直接染料は、水溶液から直接、木綿やレーヨン等の植物性繊維（セルロース繊維）に染着する染料であり、その大部分はアゾ系の染料であって、一般的に、同一平面上にあって両端に−ＮＨ2、−ＯＨを有する共役系の長く連なった細長い分子からなり、スルホン酸基又はカルボン酸基を有する構造をしている。具体的には、例えば、ダイレクトイエロー１２、ダイレクトイエロー４４、ダイレクトイエロー８６、ダイレクトイエロー１３２、ダイレクトイエロー１４２、ダイレクトレッド４、ダイレクトレッド２３、ダイレクトレッド３１、ダイレクトレッド７９、ダイレクトレッド８０、ダイレクトレッド８１、ダイレクトレッド８９、ダイレクトレッド２２７、ダイレクトレッド２４３、ダイレクトブルー６、ダイレクトブルー２２、ダイレクトブルー２５、ダイレクトブルー７１、ダイレクトブルー７８、ダイレクトブルー８６、ダイレクトブルー９０、ダイレクトブルー１０６、ダイレクトブルー１９９、ダイレクトブラック５１、１９５、ダイレクトグリーン１１、２１、３４、４２、６０、Ｃ．Ｉ．ダイレクトオレンジ１、２、５、６、７、８、３１、３３、６３、８５、９０、９６、１０２、１０４、ダイレクトブラウン２、５８、５９、６０、７３、１１２、１６７、１６８、１７９及び１８５等が挙げられる。
【００２２】
本発明者らの検討によれば、以上のような直接染料の中でも、アゾ基を２つ持つ、２量体構造を有するものが特に耐水性に優れているため、このような構造を有する染料を使用することが好ましいことがわかった。これは、上記のような構造を有する染料は、単体の染料構造が対称であるがゆえに立体配置をとり易く、このために染料分子同士の分子間力が強くなり、この結果、このようなインクを色材として含有するインクで形成した記録物は、耐水性が向上するものと考えられる。本発明の蛍光インクで形成した印字物が水と接触した場合に、印字した内容が消えないようにするという本発明の目的に対しては、上記したいずれの染料も適宜に使用することができ、特に限定されない。
【００２３】
更に、第１形態にかかるインクにおいては、Ｃ．Ｉ．アシッドレッド５２と併用する直接染料を選択する場合に、その色調が、Ｌ*ａ*ｂ*表示系で、ａ*が−２０以上６０以下、ｂ*が−５以上６０以下、且つ、√（ａ*2＋ｂ*2）が３０以上の範囲で示されるような少なくとも１種の色材を選択して混合させることが好ましい。
【００２４】
具体的には、例えば、ダイレクトイエロー１２、ダイレクトイエロー４４、ダイレクトイエロー８６、ダイレクトイエロー１３２、ダイレクトイエロー１４２、ダイレクトレッド４、ダイレクトレッド２３、ダイレクトレッド３１、ダイレクトレッド６２、ダイレクトレッド７９、ダイレクトレッド８０、ダイレクトレッド８１、ダイレクトレッド８９、ダイレクトレッド２２７、ダイレクトレッド２４３、ダイレクトオレンジ１、２、５、６、７、８、３１、３３、６３、８５、９０、９６、１０２及び１０４等が挙げられる。
【００２５】
本発明者らの検討によれば、Ｃ．Ｉ．アシッドレッド５２と少なくとも１種の直接染料を併用して本発明のインクを調製する場合に、その色調が、Ｌ*ａ*ｂ*表示系で、ａ*、ｂ*及び√（ａ*2＋ｂ*2）の値が前記した範囲で示される色材を使用すれば、Ｃ．Ｉ．アシッドレッド５２の蛍光性を阻害することが少ないことがわかった。これに対し、前記した範囲外の値を示す色調の染料は、Ｃ．Ｉ．アシッドレッド５２の蛍光スペクトル６００ｎｍ付近に最大吸収波長を持つため、Ｃ．Ｉ．アシッドレッド５２の蛍光強度を、その色材の吸光が打ち消してしまうため、蛍光強度を阻害する傾向が高いものと考えられる。又、更に、色調を示す値が前記した範囲内にある染料を使用すると、インクの色味が赤色となり、蛍光赤色インクとして最適なものとなるため、この点からも前記した色調の直接染料を選択して使用することが好ましい。
【００２６】
更に、第１形態にかかるインクは、下記一般式（Ｉ）で示される直接染料を少なくとも１種含んで構成されたものであることがより好ましい。本発明者らの検討によれば、下記一般式（Ｉ）で示される染料は、その構造式からわかるように、多くのＣＯＯＨ基を有しており、特に酸性から中性領域の紙等に印字した場合に、耐水性に優れてた印字物を与えることがわかった。又、下記一般式（Ｉ）で表される染料は、他の染料に比べて、Ｃ．Ｉ．アシッドレッド５２と併用させた場合に、Ｃ．Ｉ．アシッドレッド５２の蛍光性を顕しく阻害することがないため、この点からも好ましいことがわかった。
【００２７】
即ち、Ｃ．Ｉ．アシッドレッド５２は、最大励起波長が２５３ｎｍであり、かかる波長のエネルギーを吸収して励起し、６００ｎｍに最大蛍光波長を有し、強い蛍光色を有するが、Ｃ．Ｉ．アシッドレッド５２と併用する直接染料の中にも、２５３ｎｍ近傍に僅かな吸収を有するものがある。このような直接染料を併用すると、Ｃ．Ｉ．アシッドレッド５２の強い蛍光強度を損なうことが生じる場合がある。しかし、本発明で使用する下記一般式（Ｉ）で示される直接染料を用いれば、このような現象を殆ど生じることがない。
【００２８】
しかし、この下記一般式（Ｉ）で表される染料はイエロー染料であるため、併用させる染料が、これだけであると、印字物が水に触れた時に印字した内容が判別しにくくなる恐れがある。従って、この場合においても、はっきりと内容を判別できるようにするためには、先に挙げた直接染料から適宜に選択して、更に併用させることが好ましい。
【００２９】
以下、下記の一般式（Ｉ）で示される染料について詳細に説明する。
【化８】
0004994541.tif 000002
［一般式（Ｉ）中、Ａｒ及びＡｒ1は夫々独立に、アリール基又は置換アリール基を示し、Ａｒ及びＡｒ1の少なくとも１つは、ＣＯＯＨ又はＣＯＳＨから選ばれる置換基を有する置換アリール基であり、Ｊ及びＪ1は夫々独立に、下記式（１）、（２）及び（３）からなる群から選ばれる構造を示す。
【００３０】
【化９】
0004994541.tif 000003
【００３１】
（上記式（１）中のＲ5は、水素原子、アルキル基（例えば、炭素数１〜２０の直鎖状若しくは分岐鎖状のアルキル基等）、置換アルキル基（例えば、当該アルキル基の少なくとも１つの水素原子が、Ｆ、Ｃｌ及びＢｒ等のハロゲン原子や、炭素数１〜３のアルコキシル基等で置換されているアルキル基等）、アルコキシル基（例えば、メトキシ基、エトキシ基、プロポキシ基等）、ハロゲン原子（例えば、Ｆ、Ｃｌ及びＢｒ等）、ＣＮ基、ウレイド及びＮＨＣＯＲ6等から選択される。該Ｒ6は、水素原子、アルキル基（例えば、炭素数１〜２０の直鎖状若しくは分岐鎖状のアルキル基等）、置換アルキル基（例えば、当該アルキル基の少なくとも１つの水素原子が、Ｆ、Ｃｌ及びＢｒ等のハロゲン原子や、炭素数１〜３のアルコキシル基等で置換されているアルキル基等）、アリール基（例えば、フェニル基等）、置換アリール基（例えば、Ｆ、Ｃｌ及びＢｒ等のハロゲン原子、炭素数１〜３のアルコキシル基、炭素数１〜３の直鎖状若しくは分岐鎖状のアルキル基等から選ばれる少なくとも１つの基で置換されたフェニル基等）、アラルキル基（例えば、フェニルメチル基、フェニルエチル基等）、及び置換アラルキル基（例えば、当該アラルキル基を構成するアリール基が、Ｆ、Ｃｌ及びＢｒ等のハロゲン原子、炭素数１〜３の直鎖状若しくは分岐鎖状のアルキル基、炭素数１〜３のアルコキシル基等から選ばれる少なくとも１つの基で置換されているアラルキル基等）から選択される。
【００３２】
上記式（２）中、Ｔは、アルキル基（例えば、炭素数１〜２０の直鎖状若しくは分岐鎖状のアルキル基）若しくは置換アルキル基（例えば、当該アルキル基の少なくとも１つの水素原子が、Ｆ、Ｃｌ及びＢｒ等のハロゲン原子や、炭素数１〜３のアルコキシル基等で置換されているアルキル基等）を示し、Ｗは、水素原子、ＣＮ基、ＣＯＮＲ10Ｒ11、ピリジウム及びＣＯＯＨから選択され、（ｍ）は、炭素数２〜８のアルキレン鎖を示す。上記Ｒ10及びＲ11は夫々独立に、水素原子、アルキル基（例えば、炭素数１〜２０の直鎖状若しくは分岐鎖状のアルキル基等）及び置換アルキル基（例えば、当該アルキル基の少なくとも１つの水素原子が、Ｆ、Ｃｌ及びＢｒ等のハロゲン原子や、炭素数１〜３のアルコキシル基等で置換されているアルキル基等）から選択される。
【００３３】
又、上記式（３）中のＢは、水素原子、アルキル基（例えば、炭素数１〜２０の直鎖状若しくは分岐鎖状のアルキル基等）、置換アルキル基（例えば、当該アルキル基の少なくとも１つの水素原子が、Ｆ、Ｃｌ及びＢｒ等のハロゲン原子や、炭素数１〜３のアルコキシル基等で置換されているアルキル基等）及びＣＯＯＨから選択される。）
【００３４】
一般式（Ｉ）中のＲ1、Ｒ2、Ｒ3及びＲ4は夫々独立に、水素原子、アルキル基（例えば、炭素数１〜２０の直鎖状若しくは分岐鎖状のアルキル基等）及び置換アルキル基（例えば、当該アルキル基の少なくとも１つの水素原子が、Ｆ、Ｃｌ及びＢｒ等のハロゲン原子や、炭素数１〜３のアルコキシル基等で置換されているアルキル基等）から選択され、Ｌは、２価の有機結合基（例えば、−ＮＨ−φ−ＮＨ；φはフェニレン基等）を示し、ｎは、０又は１を示す。Ｘは、カルボニル基、或いは下記式（４）、（５）又は（６）のいずれかの構造を示す。
【００３５】
【化１０】
0004994541.tif 000004
【００３６】
（上記式（４）〜（６）中のＺは夫々独立に、ＯＲ7、ＳＲ7及びＮＲ8Ｒ9から選択され、式（５）中のＹは、水素原子、Ｃｌ、ＣＮ基及びＺから選択され、式（６）中のＥは、Ｃｌ及びＣＮ基から選択される。上記Ｒ7、Ｒ8及びＲ9は夫々独立に、水素原子、アルケニル基（例えば、炭素数１〜２０のアルケニル基等）、置換アルケニル基（例えば、当該アルケニル基の少なくとも１つの水素原子が、Ｆ、Ｃｌ及びＢｒ等のハロゲン原子や、炭素数１〜３のアルコキシル基等で置換されているアルケニル基等）、アルキル基（例えば、炭素数１〜２０の直鎖状若しくは分岐鎖状のアルキル基等）、置換アルキル基（例えば、当該アルキル基の少なくとも１つの水素原子が、Ｆ、Ｃｌ及びＢｒ等のハロゲン原子や、炭素数１〜３のアルコキシル基等で置換されているアルキル基等）、アリール基（例えば、フェニル基等）、置換アリール基（例えば、Ｆ、Ｃｌ及びＢｒ等のハロゲン原子、炭素数１〜３のアルコキシル基、炭素数１〜３の直鎖状若しくは分岐鎖状のアルキル基等から選ばれる少なくとも１つの基で置換されたフェニル基等）、アラルキル基（例えば、フェニルメチル基、フェニルエチル基等）及び置換アラルキル基（例えば、当該アラルキル基を構成するアリール基が、Ｆ、Ｃｌ及びＢｒ等のハロゲン原子、炭素数１〜３の直鎖状若しくは分岐鎖状のアルキル基、炭素数１〜３のアルコキシル基等から選ばれる少なくとも１つの基で置換されているアラルキル基等）から選択される。更に、上記Ｒ8及びＲ9は、これらが結合された窒素原子と共に５員環又は６員環を形成する場合もある。）
【００３７】
一般式（Ｉ）がＳＯ3Ｈ基をもたない場合は、少なくとも２つのＣＯＯＨ基又はＣＯＳＨ基から選ばれる基を有し、一般式（Ｉ）がＳＯ3Ｈ基をもつ場合は、ＣＯＯＨ基又はＣＯＳＨ基から選ばれる基が少なくともＳＯ3Ｈ基の数と同数以上有する。］
【００３８】
上記一般式（Ｉ）に含まれる染料としては、具体的には、例えば、Ｃ．Ｉ．ダイレクトイエロー１７３や、以下に示す染料１〜１１が挙げられる。
【化１１】
0004994541.tif 000005
【００３９】
【化１２】
0004994541.tif 000006
【００４０】
【化１３】
0004994541.tif 000007
【００４１】
【化１４】
0004994541.tif 000008
【００４２】
【化１５】
0004994541.tif 000009
【００４３】
第１形態にかかるインクは、Ｃ．Ｉ．アシッドレッド５２の含有量が、インク全量に対して０．１〜０．４質量％であることが好ましいが、より好ましくはインク全量に対して０．２〜０．３質量％となる範囲で使用する。一般的に、蛍光染料においては、染料濃度が少ない場合は勿論、ある規定濃度以上となると蛍光が弱くなるといった現象が知られており、強い蛍光強度を発現させることのできる濃度領域がある。この現象について、図８〜１２に従って、被記録材が紙である場合を例にとって説明する。先ず、図８は、蛍光色材８０１と溶媒８０５とを含むインク滴８０３が、セルロース繊維８０７を含んでいる被記録材に付着する直前の状態を模式的に示している。そして図９に示したように、インク滴９０１が紙上に着弾し、定着した場合に、紙上の蛍光色材８０１が少ない場合は、蛍光強度が充分には高くならない。一方、図１０に示したように、インク滴１００１が被記録材に定着し、紙面上に蛍光色材が適当な量で存在した状態にあれば、強い蛍光強度が得られる。これは蛍光色材同士の相互作用（色材分子の凝集、会合等）を発生させない濃度では、蛍光色材の発光発色性が十分に発現するためと考えられる。一方、図１１に示したように、インク滴１１０１が被記録材に定着し（１１０１）、蛍光色材が紙面上に大量に存在する状態にあると、色材分子同士の相互作用（凝集や会合等）の発生割合が増加していき、蛍光発色性が不十分となり、蛍光強度の低下を引き起こすと考えられる。本発明で使用するＣ．Ｉ．アシッドレッド５２の場合も同様であり、その含有量がインク全量に対して上記の範囲内にある場合、充分な蛍光強度を得ることができる。
【００４４】
更に、Ｃ．Ｉ．アシッドレッド５２と、上記に挙げたような種々の直接染料から選択して併用させて本発明のインクとした場合に、インクに充分な蛍光色を発現させるためには、併用する直接染料の含有量を、インク全体に対して０．１１〜０．４質量％とし、且つ、Ｃ．Ｉ．アシッドレッド５２に対し、その含有比率が１．６重量倍以下の範囲となるようにすることが好ましい。特に、Ｃ．Ｉ．アシッドレッド５２に対して１．４重量倍以下の範囲で直接染料を含有させることが好ましい。上記の範囲とすることによって、記録部に十分な蛍光強度を付与することができると共に、印字物が水に触れた時にも、記録内容が目視にて読み取れる程度には維持することができるものである。
【００４５】
これは、図１２や図１３に示すように、図中に１２０１で示したＣ．Ｉ．アシッドレッド５２と併用する色材１２０３が適量である場合には、具体的には蛍光色材量が蛍光を発現するに十分な量で、且つ併用されるその他の色材量が、セルロース繊維に化学的、物理的な結合を行う量の範囲であると、図１３に示したようにインク滴が定着した部位１３０１においては、併用色材１２０３は、紙のセルロース繊維８０７に吸着している割合が多く、殆ど浮遊しておらず、１２０１で示したＣ．Ｉ．アシッドレッド５２の蛍光性をあまり阻害しない。一方、図１４に示したように、適量以上に併用色材を混入すると、インク滴が定着した部位１４０１においては、併用色材はセルロース繊維８０７に化学的、物理的に結合したもの１２０３−１の他に、セルロース繊維に吸着できない遊離の併用色材１２０３−３が多量に存在する状態となり、これがＣ．Ｉ．アシッドレッド５２の蛍光性を急激に低下させたものと考えられる。これらの理由から、Ｃ．Ｉ．アシッドレッド５２に対する直接染料の混合割合を１．６重量倍以下に抑えた場合には、本発明の目的の１つである印字物の耐水性を充分に満足することができると共に、強い蛍光強度を示す着色部を形成することができる。
【００４６】
次に、上記で説明した染料と共に本発明にかかるインクを構成する水性液媒体について説明する。本発明で使用する水性液媒体としては、水を主成分とすることが好ましく、又、インク中の水の含有量はインク全重量に対して、１０〜９５質量％、好ましくは２５〜９３質量％、より好ましくは４０〜９０質量％の範囲とすることが望ましい。本発明で使用する水としては、イオン交換水が好ましく用いられる。
又、第１形態にかかるインクにおいては、水性液媒体として、水を単独で用いてもよいが、水に水溶性有機溶剤を併用させることによって、第１形態にかかるインクの効果をより顕著にすることもできる。
【００４７】
第１形態にかかるインクに用いることのできる水溶性有機溶剤としては、具体的には、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン付加重合体；エチレングリコール、プロピレングリコール、トリメチレングリコール、ブチレングリコール、ペンタンジオール、へキシレングリコール等のアルキレン基が２〜６個の炭素原子を含むアルキレングリコール類；グリセリン、トリメチロールエタン、トリメチロールプロパン、１，２，６−ヘキサントリオール等のトリオール類；チオジグリコール；ビスヒドロキシエチルスルホン；エチレングリコールモノメチル（又はエチル、ブチル）エーテル、ジエチレングリコールモノメチル（又はエチル、ブチル）エーテル、トリエチレングリコールモノメチル（又はエチル、ブチル）エーテル等の低級アルキルグリコールエーテル類；トリエチレングリコールジメチル（又はエチル）エーテル、テトラエチレングリコールジメチル（又はエチル）エーテル等の低級ジアルキルグリコールエーテル類；モノエタノールアミン、ジエタノールアミン、トリエタノールアミン等のアルカノールアミン類；スルホラン、Ｎ−メチル−２−ピロリドン、２−ピロリドン及び１，３−ジメチル−２−イミダゾリジノン等が挙げられる。上記の如き水溶性有機溶剤は、単独でも或いは混合物としても使用することができる。
【００４８】
これらの水溶性有機溶剤のインク中の含有量は、一般的には、インクの全重量に対して合計して５０質量％以下、好ましくは５〜４０質量％、より好ましくは１０〜３０質量％の範囲とすることが望ましい。更に、上記に挙げた中でも、エチレングリコール、ジエチレングリコール、トリエチレングリコール、チオジグリコール、グリセリン、トリメチロールプロパン、１，２，６−ヘキサントリオール、エチルアルコール、イソプロピルアルコール及びビスヒドロキシエチルスルホン等の水溶性有機溶剤を使用することが特に好適である。
【００４９】
本発明のインク中には上記成分の他、必要に応じて、尿素、チオ尿素又は尿素誘導体や、インクに所望の性能を与えるための、ｐＨ調整剤、粘度調整剤、防腐剤、酸化防止剤、蒸発促進剤、防錆剤、防カビ剤及びキレート化剤等の添加剤を配合してもよい。インクの物性としては、表面張力が、４０ｍＮ／ｍ（ｄｙｎ／ｃｍ）以下、ｐＨが８以上に調整されたインクが好ましい。
【００５０】
（第二の実施態様）
本発明の第二の実施態様にかかる蛍光インクについて以下に説明する。
本態様にかかる蛍光インク（以下、「第２形態にかかるインク」と呼ぶ）は、上記で説明した第１形態にかかるインクのインク組成に、更に、互いに相溶性のない第１及び第２の有機化合物を含ませたものであるが、該第１及び第２の有機化合物は、前記で説明したような水性液媒体に溶解又は分散される化合物である。
【００５１】
即ち、第２形態にかかるインクは、
（ｉ）互いに相溶性のない第１及び第２の有機化合物と、
（ii）直接染料と、蛍光性色材であるＣ．Ｉ．アシッドレッド５２と、
（iii）上記（ｉ）及び（ii）を溶解又は分散する水性液媒体とを含み、
且つ、Ｃ．Ｉ．アシッドレッド５２の含有量がインク全量に対して０．１〜０．４質量％であり、直接染料の含有量がインク全量に対して０．１１〜０．４質量％であり、且つ、Ｃ．Ｉ．アシッドレッド５２に対して該直接染料が１．６重量倍以下の範囲で含まれている点に特徴を有している。
そして、上記本発明の第２形態にかかるインクは、先に説明した第１形態にかかるインクによって達成することのできる効果に加え、蛍光特性がより一層改善された強い蛍光強度を有する着色部を形成することができるという顕著な効果が得られる、更に優れた蛍光インクとなる。
【００５２】
本発明者らは、先に説明した第１形態にかかるインクに対して、より良好な蛍光インクが得られる実施形態について検討を重ねた結果、第１形態にかかるインクの組成に、互いに相溶性がなく、しかも水性液媒体に対しては共に溶解又は分散する第１及び第２の有機化合物を、更に含ませることによって、インクジェット記録方法等による画像形成に使用した場合における記録物の安定性及び信頼性が良好で、しかも、インクに使用する色材の蛍光特性を十分に生かすことができ、蛍光発色性に極めて良好な記録物を得ることが可能となることを見いだした。以下に、第２形態にかかるインクの場合における、蛍光強度を含めた発色のメカニズムについて説明する。
【００５３】
本発明者等は、記録物の安定性及び信頼性が良好で、且つ、蛍光特性を含む発色性がより一層良好なインクを開発するために、多種多様なメカニズムを考え、多種多様な色材やインク組成について検討及び確認を行ってきた。その結果、従来では考えられていなかった、インクの構成成分として互いに相溶性のない２種類の化合物を用いることにより、得られる記録物の発色性を良好なものとできるという新たな事実にたどりつき、本発明の第２形態にかかるインクの構成に至った。
【００５４】
即ち、互いに相溶性のない２種の有機化合物と、蛍光色材であるＣ．Ｉ．アシッドレッド５２及び直接染料からなる色材の組み合わせと、これらを溶解又は分散する水性液媒体とから少なくとも成る第２形態にかかるインクを用い、被記録材上にインクを付与して画像を形成した場合に、蛍光特性や発色性等を含めた記録物の品位が向上し、且つ、安定性及び信頼性が良好な記録物が得られる。特に、本発明の第２形態にかかるインクは、インクジェット記録のような、被記録材に対して間隙を介してインクが供給される画像形成方式に用いた場合に、良好な結果を示す。更に、第２形態にかかるインクは、特に、記録物の蛍光強度という観点から捉えると、従来の蛍光インクを用いて形成した記録物と比べて、蛍光強度が格段に向上するという顕著な効果が得られる。
【００５５】
記録物の安定性及び信頼性が良好で、且つ蛍光強度や発色性等の良好なインクに対するメカニズムを考える場合、記録物の蛍光性及び発色性を向上させる手段としては、一般的には、インク中で色材をいかに均一に良好な状態で溶解或いは分散させるかについて注目が集まる。言い換えれば、インク中における色材分子又は分散粒子の凝集をいかになくし、インク中の色材分子又は分散粒子を小さくするかであり、例えば、インクの特性で考えれば、インクの吸光度を高くすることができるか、更に、吸光度の高い状態をいかに保つかについて検討されて、インクの設計が為されている。即ち、このようにインクを設計することで、被記録材上に記録されたインク中の色材分子又は分散粒子を凝集しにくくさせ、これによって色材の発色性及び蛍光性を良好にしようとすることが試みられるのが一般的である。
【００５６】
これに対し、本発明者等は、被記録材上にインクが付与されて形成された記録物（印字物）について、被記録材上でのインクの状態、及び、世の中にある多種多様な記録物について再度検討し、考察を重ねた。その結果、先ず、いかなる記録物も、被記録材上に、シャープではなくとも必ず被記録材とインクとの界面が存在していること、更には、被記録材上のインクは大気に対しても界面を有した状態で存在していることに注目した。又、例えば、上質紙に記録を行った場合に、インクの浸透を高めると、見た目の色材の発色性が低下し易くなること、更に、バックコートフィルムに記録を行ったり、記録物をラミネートすると、見た目の色材の発色性が良好になることに着目した。本発明者らは、これらの現象に対して、被記録材上において、色材の発色性が良好となる大気に対するインクの界面状態を記録後にいかに作るか、更に、その状態をいかにして保持させるかという観点からの検討を行なった結果、本発明の第２の形態にかかるインクの構成を見いだすに至った。
【００５７】
本発明者らは、第２形態にかかる蛍光インクを被記録材に付着させた場合に、記録物の蛍光特性や発色性を格段に向上できた理由は、下記に説明する具体的なメカニズムによってもたらされたものと考えている。
先ず、図１５に示したように、第２形態にかかるインクは、インクの状態では各成分が水性液媒体中に十分に溶解或いは分散して一様な状態で安定に存在している。尚、図１５において、１５０１は第１の有機化合物、１５０３は第２の有機化合物であって、第１及び第２の有機化合物は互いに相溶性を有していない。このような第２形態にかかるインクが、図１６に示したように、被記録材１５０９上に着弾して記録された場合、記録後に、図１７に示したように、インク成分の一部（特に、水性液媒体１５０７）が大気中へ蒸発したり、被記録材１５０９内へ浸透し、拡散したりすることによって、被記録材１５０９上のインクの構成や成分比が変化する。すると、このことによって、インクの状態では安定に存在していた互いに相溶性のない２種の有機化合物１５０１及び１５０３が、被記録材１５０９上で層状に相分離を生じ、図１８に示したように、インクと大気との間にインク成分同士による界面が形成される。この結果、あたかも記録物がラミネートされたような状態が形成される。
【００５８】
図１９は、図１８に示した状態を分かり易くするために模式的に表現したものである。ここで、層１９０１は、有機化合物１５０３と色材１５０５とを含み、層１９０３は、有機化合物１５０１と色材１５０５とを含んでいる。そして層１９０１の表面は気液界面１９０５を構成し、層１９０１と１９０３とは、その間に液体同士の、液−液界面１９０７を形成している。以上の結果、第２形態にかかるインクによって形成された記録物では、液−液界面１９０７の発現により安定な厚みの層１９０１が形成されるため、同界面において光の反射を有効に発現させることができる。その結果として、蛍光強度を含む発色性が良好になり、記録物の蛍光性や発色性を格段に向上させる有効な手法となる。
【００５９】
本発明者らの検討によれば、特に、互いに相溶性がない２種の有機化合物の一方に界面活性剤を用いた場合には、蛍光強度を含む発色性が特に良好である画像が得られることがわかった。本発明者らは、これは、界面活性剤を用いると、図２０に示したように、表層に界面活性剤のミセル層２００１が形成され、この層により、光の反射をより有効に発現させることができるので、蛍光強度を含む発色性が更に良好になったものと考えている。
【００６０】
更に、本発明者らの検討によれば、本発明の第２形態にかかる蛍光インクを構成する互いに相溶性のない２種の有機化合物を、インク中で均一に近い状態で共存させるには、液媒体として水を使用することが好ましいことがわかった。即ち、液媒体として水を使用すると、他の水性液媒体と比べて多様な化合物を用いることができるので、インクの構成材料の選択の余地が広がるだけでなく、上質紙に対しては、非水系の水性液媒体を用いたインクと比べて記録物の品位を低下させにくく、更に、上質紙内への浸透により液媒体を除去させることもでき、しかも、液媒体の蒸発に対しても安定性があり、この面からも良好であった。
【００６１】
又、第２形態にかかるインクは、被記録材に対して間隙を介してインクが供給される方式の記録に用いられることが好ましい。これに対して、例えば、ボールペンのような、被記録材に接触させて加圧した状態で記録を行う方式に用いた場合は、インクが被記録材内に押し込められて、本発明にかかるメカニズムが発現されにくくなってしまうためである。
【００６２】
次に、上記メカニズムによって優れた効果が得られる第２形態にかかる蛍光インクの構成成分について、既に第１形態にかかるインクにおいて説明した色材以外について説明する。
第２形態にかかるインクを構成する、互いに相溶性のない第１及び第２の２種の有機化合物（ｉ）としては、共に液体であって、或いは共に水溶性であり、共に非極性化合物であることが好ましい。更には、併用するＣ．Ｉ．アシッドレッド５２及び少なくとも１種の直接染料を溶解し、分散し、又は溶解及び分散する化合物を用いることが好ましい。
【００６３】
ここで、互いに相溶性のない２種の有機化合物とは、該２種の有機化合物のみを混合させた状態で、例えば、水と油の如く、層状に相分離するものを指す。具体的には、互いに相溶性のない２種の有機化合物と、液媒体として水を用いた３成分を例にとって説明すると、初期状態においては、上記２種の互いに相溶性のない有機化合物は、いずれも水に溶解した状態で存在しているが、例えば、５０℃の環境で溶媒としての水を蒸発させていった場合に、上記２種の互いに相溶性のない有機化合物が、水の蒸発に伴って液−液の状態での分離を生じるものを意味している。本発明者らの検討によれば、このような組合せの２種の有機化合物をインク組成に用いることで、前記した本態様にかかるメカニズムが発現し易くなる。
【００６４】
一方、これらの有機化合物に対する液媒体としては、多種多様な液体の中から、互いに相溶性のない２種の有機化合物の組合せと、これらとの相性とをにらみながら選択されるが、特に好ましいものは、液媒体を水にした形態である。この理由としては、インクの安定性の他に、前述したメカニズムに記載した非水系の液媒体を用いた場合の品位等の問題や、互いに相溶性のない２種の有機化合物を選択する場合の容易性が挙げられる。
【００６５】
互いに相溶性のない２種の有機化合物としては、上記した様に、２種の有機化合物のみを混合させた状態で、例えば、水と油の如く層状に相分離するものであればいずれのものでもよいが、例えば、一方の有機化合物の溶解度パラメーター値が１５以上で、他方の有機化合物の溶解度パラメーター値が１３以下である組合せのものが好ましい。両者の溶解度パラメーター値が近すぎると、相溶し易くなり、本発明の効果が発現しにくくなる。尚、ここで示す溶解度パラメーター値は、Ｆｅｄｏｒｓ法によって求められた値である。
【００６６】
又、互いに相溶性のない２種の有機化合物の、一方（第１の有機化合物）は、グリセリン基を有している化合物であることが好ましい。グリセリン基は水和力が強く、第２形態にかかるインクによって蛍光強度を含む優れた発色性を有する記録物が得られる理由と考えられる、先に説明した現象（メカニズム）中、具体例として述べた「水と油」のうち、水側の化合物として働き易い物質である。グリセリン基を有している化合物の中でも、例えば、グリセリン、キシリトール、エリトリトール等のモノマーとしての糖アルコール、グリセリン、ジグリセリン等の二量体、三量体としての糖アルコールが良好である。
【００６７】
又、上記化合物に対し、エチレンオキサイド、プロピレンオキサイド、夫々の組合せられたものを置換基として付加されたものであってもよい。以上の中で、特に好ましくは、水酸基を３個以上有しているもの、常温で液体のものである。これらのインク中における含有量は、インク全質量に対して、１．０〜３０質量％、更に、５．０〜２０質量％とするのが好ましい。しかし、画像形成に用いる被記録材によっては、これらに限定されない。
【００６８】
次に、第２形態にかかるインクを構成する、上記第１の化合物に対して相溶性のない有機化合物（第２の有機化合物）について説明する。本発明においては、上記に挙げたような第１の有機化合物に対して、第２の有機化合物として、例えば、ノニオン系界面活性剤を用いることが好ましい。ノニオン系界面活性剤を用いれば、上記に挙げたような第１の有機化合物に対して、混合させた場合に層状に相分離する油に対応した作用を有するため、先に説明したメカニズムを良好に発現させることができる。
【００６９】
本発明の第２形態にかかるインクを構成する際に、第２の有機化合物として使用するノニオン系界面活性剤は、水溶液状態で、該水溶液からそれ自身が相分離しないものであることが好ましい。これは、このような材料を用いれば、例えば、液媒体として水を用いてインク化したときに、インクが不安定化することを抑え、若しくは防ぐことができるためである。このことは、第２の有機化合物としては、見かけ上は水に溶けた状態や均一状に分散しているものを使用することが好ましいことを示している。従って、特に、水溶液に対してエマルジョン状態になるノニオン系界面活性剤を選択することが好ましい。更に、ノニオン系界面活性剤のインク中の含有量を、水溶液の状態でエマルジョン状態が保持できる添加量以下に選択すると、インクの安定性に対する不安がなくなるので、特に好ましい。
【００７０】
ノニオン系界面活性剤の中でも、特に第２形態のインクに好適に用いることのできるものとしては、常温で液体であって、そのＨＬＢが１３以下のものが挙げられる。一般的に、ＨＬＢが１３よりも大きくなると親水性が強くなり過ぎてしまうが、ＨＬＢが１３以下のノニオン系界面活性を用いた場合には、本態様にかかるインクの構成成分である相溶性のない２種の有機化合物が、被記録材表面で相分離し、インクと大気の間にインク成分同士による界面を形成させ、これによって、記録物の蛍光強度を含む発色性が良好になるという前記したメカニズムが良好に発現する。
【００７１】
更に、上記界面活性剤が、水と油の間の性質を持つもの、言い換えれば曇点を有するものを用いると、この界面活性剤の相において、蛍光強度を含む発色性が良好になるので好ましい。これは、上記したような界面活性剤の相に蛍光性を示す化合物及び／又は蛍光性を示す色材が、蛍光性を含む発色性に対して最も良好な状態である単分子に近い状態に溶解及び／又は分散し、且つ、蛍光性を示す色材等の過飽和分は、界面活性剤と相溶性のない相に溶解及び／又は分散するために、蛍光性を含む発色性がより良好に発現するのではないかと推測している。
【００７２】
第２形態のインクにおけるノニオン系界面活性剤の含有量は、先に説明したＣ．Ｉ．アシッドレッド５２及び少なくとも１種の直接染料を除いたインクの状態で、インク界面で分離することのない量をインク中に含有させることが好ましい。具体的には、インク全重量に対して１質量％以上、更には、１〜２０質量％とすることが好ましい。１質量％より少ないと、先に述べたメカニズムの発現の効果が少なく、又、２０質量％より多いと印字品位のバランス、例えば、濃度や定着性やヒゲ状の滲みであるフェザリングと定着性や濃度とのバランスが悪くなる傾向がある。
【００７３】
以上に挙げた要件を具備するノニオン系界面活性剤の中でも、第２形態のインクの構成成分とするのに特に好ましいものとしては、下記のアセチレン基を有している一般式（II）で示される化合物、及び下記（III）〜（VIII）に列挙した化合物が挙げられる。
【００７４】
【化１６】
0004994541.tif 000010
［上記一般式（II）において、Ａ及びＢは夫々独立に、ＣnＨ2n+1（ｎは１〜１０の整数）を表し、Ｘ及びＹは、開環したエチレンオキサイドユニット及び／又は開環したプロピレンオキサイドユニットを表す。］
【００７５】
【化１７】
0004994541.tif 000011
【００７６】
又、前記一般式（II）で表されるノニオン系界面活性剤の中でも特に好ましいのは、下記の式（IX）で示される化合物である。
【化１８】
0004994541.tif 000012
【００７７】
ところで、これまで説明してきた本発明の第２形態にかかる蛍光インクに対しては、更に、蒸気圧がジエチレングリコールの蒸気圧以上のグリコール化合物を含有させることによって、より優れた別の効果を奏する蛍光性着色部を備えた記録物を得ることができる。ここで用いる蒸気圧がジエチレングリコールの蒸気圧以上のグリコール化合物は、互いに相溶性のない第１及び第２の有機化合物を溶解若しくは分散するものであることが好ましく、例えば、その溶解度パラメータが、第１の有機化合物と第２の有機化合物との間にあるものが好ましい。
【００７８】
上記のような化合物を第２形態にかかるインクに含有させることによって、蛍光強度を含む発色性が良好になり、記録物の蛍光特性や発色性を格段に向上すると共に、従来の、光に当てられた蛍光色材の蛍光強度が経時的に低下する、という蛍光性を示す記録物の欠点が有効に抑制される、という別の優れた効果が得られる。このような化合物の具体例は、用いる互いに相溶性のない２種の有機化合物よっても異なるが、例えば、２種の有機化合物として、前記で説明したグリセリン基を有している有機化合物とノニオン系界面活性剤とを用いる場合には、下記に挙げるグリコール系化合物を用いることが好ましい。例えば、エチレングリコール（蒸気圧：６．７Ｐａ（２０℃））やジエチレングリコール（蒸気圧：＜１．３３Ｐａ（２０℃））等が挙げられる。
【００７９】
上記した構成を有するインクが、上記の優れた効果を奏するものとなる理由については、本発明者らは、蒸気圧がジエチレングリコール以上の化合物、具体的には例えば、エチレングリコールやジエチレングリコールのグリコール系化合物の被記録材上で起こる蒸発に起因してもたらされたものと考えている。即ち、上記のようなグリコール系化合物の蒸発は、比較的緩やかであるため、インク滴が被記録材に付着した直後においては、当該インク中に、これらの化合物は豊富に含まれている。そのため、前記で説明した図１９の層１９０１と層１９０３との間の液−液界面１９０７や、図２０における層２００１と層１９０１との間の液−液界面１９０７、及び層１９０１と層１９０３との間の液−液界面の少なくとも一方には、上記したようなグリコール系化合物が介在し、明確な界面の形成を阻害しているものと考えられる。即ち、このようなインクの状態により、記録直後の記録部においては、その蛍光強度は、上記したようなグリコール系化合物を含んでいない第２形態にかかるインクによって得られる記録部が示す蛍光強度よりも弱いものとなる。
【００８０】
しかしながら、上記したようなグリコール系化合物は時間の経過と共に徐々に蒸発し、その結果として、上記に挙げた各液−液界面が明確となり、高い蛍光強度を得るための好ましい記録部の構造が形成されることとなる。記録物が置かれる環境によっては、その蛍光特性は経時的に劣化する場合があるが、上記の態様にかかるインクによって形成される記録部が示す見かけ上の蛍光強度は、経時的な劣化が極めて有効に抑制されており、或いは殆ど劣化しないという優れた効果が得られる。本発明者らの検討によれば、経時的な劣化が抑制されるどころか、蛍光強度が増大することすらあった。従って、より長期間に渡って持続する蛍光特性を記録物に期待する場合には、上記に説明した、第２形態にかかるインクの変形形態を採用することが好ましい。
【００８１】
第２形態にかかる蛍光インクの変形形態は、上記で説明した互いに相溶性のない２種の有機化合物と、先に説明した蛍光色材であるＣ．Ｉ．アシッドレッド５２と直接染料と、これらを溶解或いは分散する水性液媒体を用いて構成される。上記で説明したメカニズムによる蛍光強度の経時的な劣化の抑制効果は、特に、蛍光色材であるＣ．Ｉ．アシッドレッド５２を用いた場合に十分に発現される。又、先に述べた理由により本形態のインクの場合も、液媒体を水とする水系とした場合に特に好ましい結果を示し易い。従って、使用する色材として、水との親水性の良好な、色材自身が水に溶解する直接染料を用いたり、或いは、使用する化合物や色材及びこれらの集合体について表面処理をすることで、本来は疎水性であるものを親水性とし、水にエマルジョン化させる等の方法で、あたかも水に溶解しているようにすることが可能な材料を用いることも好ましい。
【００８２】
上記に説明した第２形態にかかる蛍光インクにおいては、インクの安定性の面から、インク中に更に、一価アルコールを併用させることが好ましい。第２の形態にかかるインク中において、一価アルコールは、例えば、ガソリンの水抜きのように、水と油を混合する効果を有している。このことは、先に説明したメカニズムを発現させる際のインクの安定性の面から、一価アルコールがインクに併用されている形態が好ましいものであることを意味している。更に、一価アルコールは、被記録材上にインクを付与した場合に、蒸発や、被記録材中への浸透に対して良好な効果があるため、本発明の効果をより良好に発現させるものとして有効である。一価アルコールの本発明のインク中への含有量としては、インク全重量に対して０．１〜２０質量％、好ましくは、０．５〜１０質量％である。本発明のインク成分として使用することのできる一価アルコールの具体例としては、例えば、エタノール、イソプロピルアルコール及びｎ−ブタノール等が挙げられる。
【００８３】
更に、第２形態にかかる蛍光インクには、保水剤が併用されていてもよい。保水剤としては、尿素及び尿素誘導体から選択される化合物を用いることが好ましい。尿素及び尿素誘導体をインク中に含有させると、インクの安定性が良好になる。即ち、尿素及び尿素誘導体から選択される化合物を含有させることで、インクの状態の気−液界面で、インク中に含有されている互いに相溶性のない２種の有機化合物が層状に相分離するというメカニズムが発現することがないようにさせるためである。更に、尿素及び尿素誘導体から選択される化合物は、溶剤助剤としての効果もあるので、インクの安定性に対しても好ましい。
【００８４】
又、上記と同様に、例えば、被記録材が上質紙等であるような場合に、被記録材中に保水剤が含有されていれば、上質紙の水分保水性によって本発明のメカニズムの効果を発現し易くなると考えられる。即ち、被記録材中の水分が保持されることにより、インク成分の被記録材内や大気へ放出される時間を遅くさせることで、互いに相溶性のない２種の有機化合物が層状に相分離するのを良好にするのではないかと予測している。
【００８５】
尿素誘導体としては、環状化合物ではない化合物が好ましく、例えば、尿素のアルキル誘導体及び尿素のエチレンオキサイド及び／又はプロピレンオキサイド付加物から選ばれた少なくとも１種、又は、上記誘導基の少なくとも２個で誘導された化合物から適宜に選択して用いることが好ましい。但し、インクを構成する各成分の量や種類によって選択は変わる。又、水溶性であるものを使用することが好ましい。上記使用量については特に制限されないが、一般的には、インクの全重量に対して０．１〜１５質量％の範囲で含有させることが好適であり、更には０．１〜１０質量％の範囲で含有させることが好適である。
【００８６】
第２形態にかかるインクは、必要に応じて、更に、水溶性有機溶剤、界面活性剤、防錆剤、防腐剤、防カビ剤、酸化防止剤、還元防止剤、蒸発促進剤、キレート化剤、水溶性ポリマー及びｐＨ調整剤等の種々の添加剤を含有してもよい。インクの物性としては、表面張力が、４０ｍＮ／ｍ（ｄｙｎ／ｃｍ）以下、ｐＨが８以上に調整されたインクが好ましい。
【００８７】
次に、上記で説明した色材の組み合わせ及び互いに相溶性のない２種の有機化合物と共に、本発明の第２形態にかかるインクを構成する水性液媒体について説明する。本発明で使用する水性液媒体としては、先に述べたように、水を主成分とすることが好ましく、又、水に水溶性有機溶剤を併用させることによって、本発明の効果をより顕著にすることもできる。
【００８８】
本態様にかかる蛍光インクに使用できる具体的な水溶性有機溶剤の例としては、例えば、ジメチルホルムアミド、ジメチルアセトアミド等のアミド類；アセトン等のケトン類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類；グリセリン；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；Ｎ−メチル−２−ピロリドン、１，３−ジメチル−２−イミダゾリジノン、トリエタノールアミン、スルホラン、ジメチルサルフォキサイド、２−ピロリドン、ε−カプロラクタム等の環状アミド化合物、及びスクシンイミド等のイミド化合物等が挙げられる。
【００８９】
以上のようにして構成される本発明の第１及び第２の実施形態にかかる蛍光インクは、通常の文具用の蛍光インクとしても用いることができるが、インクジェット記録で用いられる際に、特に効果的である。インクジェット記録方法としては、インクに力学的エネルギーを作用させて液滴を吐出する記録方法、及びインクに熱エネルギーを加えてインクの発泡により液滴を吐出するインクジェット記録方法があり、それらのインクジェット記録方法に本発明にかかる蛍光インクは特に好適である。
【００９０】
次に、上記した本発明にかかる蛍光インクを用いて記録を行うのに好適な、本発明のインクジェット記録装置の一例を以下に説明する。先ず、熱エネルギーを利用したインクジェット記録装置の主要部であるヘッド構成の一例を、図１及び図２に示す。図１は、インク流路に沿ったヘッド１３の断面図であり、図２は、図１のＡ−Ｂ線での切断面図である。
【００９１】
ヘッド１３は、インクを通す流路（ノズル）１４を有するガラス、セラミック、シリコン又はプラスチック板等と、発熱素子基板１５とを接着して得られる。発熱素子基板１５は、酸化シリコン、窒化シリコン、炭化シリコン等で形成される保護層１６、アルミニウム、金、アルミニウム−銅合金等で形成される電極１７−１及び１７−２、ＨｆＢ2、ＴａＮ、ＴａＡｌ等の高融点材料から形成される発熱抵抗体層１８、熱酸化シリコン、酸化アルミニウム等で形成される蓄熱層１９、シリコン、アルミニウム、窒化アルミニウム等の放熱性のよい材料で形成される基板２０よりなっている。
【００９２】
上記ヘッド１３の電極１７−１及び１７−２にパルス状の電気信号が印加されると、発熱素子基板１５のｎで示される領域が急速に発熱し、この表面に接しているインク２１に気泡が発生し、その圧力でメニスカス２３が突出し、インク２１がヘッドのノズル１４を通して吐出し、吐出オリフィス２２よりインク小滴２４となり、被記録材２５に向かって飛翔する。図３には、図１に示したヘッドを多数並べたマルチヘッドの一例の外観図を示す。このマルチヘッドは、マルチノズル２６を有するガラス板２７と、図１に説明したものと同じような発熱ヘッド２８を接着して作られている。
【００９３】
図４に、このヘッドを組み込んだインクジェット記録装置の一例を示す。図４において、６１はワイピング部材としてのブレードであり、その一端はブレード保持部材によって保持固定されており、カンチレバーの形態をなす。ブレード６１は記録ヘッド６５による記録領域に隣接した位置に配置され、又、本例の場合、記録ヘッド６５の移動経路中に突出した形態で保持される。
【００９４】
６２は、記録ヘッド６５の突出口面のキャップであり、ブレード６１に隣接するホームポジションに配置され、記録ヘッド６５の移動方向と垂直な方向に移動して、インク吐出口面と当接し、キャッピングを行う構成を備える。更に、６３は、ブレード６１に隣接して設けられるインク吸収体であり、ブレード６１と同様、記録ヘッド６５の移動経路中に突出した形態で保持される。上記ブレード６１、キャップ６２及びインク吸収体６３によって吐出回復部６４が構成され、ブレード６１及びインク吸収体６３によって、吐出口面の水分や塵埃等の除去が行われる。
【００９５】
６５は、吐出エネルギー発生手段を有し、吐出口を配した吐出口面に対向する被記録材にインクを吐出して記録を行う記録ヘッド、６６は、記録ヘッド６５を搭載して記録ヘッド６５の移動を行うためのキャリッジである。キャリッジ６６は、ガイド軸６７と摺動可能に係合し、キャリッジ６６の一部は、モーター６８によって駆動されるベルト６９と接続（不図示）している。これによりキャリッジ６６は、ガイド軸６７に沿った移動が可能となり、記録ヘッド６５による記録領域及びその隣接した領域の移動が可能となる。
【００９６】
５１は、被記録材を挿入するための紙給部、５２は不図示のモーターにより駆動される紙送りローラーである。これらの構成により、記録ヘッド６５の吐出口面と対向する位置へ被記録材が給紙され、記録が進行するにつれて排紙ローラー５３を配した排紙部へ排紙される。以上の構成において、記録ヘッド６５が記録終了してホームポジションへ戻る際、吐出回復部６４のキャップ６２は記録ヘッド６５の移動経路から退避しているが、ブレード６１は移動経路中に突出している。その結果、記録ヘッド６５の吐出口がワイピングされる。
【００９７】
尚、キャップ６２が記録ヘッド６５の吐出面に当接してキャッピングを行う場合、キャップ６２は記録ヘッドの移動経路中に突出するように移動する。記録ヘッド６５がホームポジションから記録開始位置へ移動する場合、キャップ６２及びブレード６１は、上記したワイピングの時の位置と同一の位置にある。この結果、この移動においても記録ヘッド６５の吐出口面はワイピングされる。上述の記録ヘッドのホームポジションへの移動は、記録終了時や吐出回復時ばかりでなく、記録ヘッドが記録のために記録領域を移動する間に所定の間隔で記録領域に隣接したホームポジションへ移動し、この移動に伴って上記ワイピングが行われる。
【００９８】
図５は、記録ヘッドにインク供給部材、例えば、チューブを介して供給されるインクを収容したインクカートリッジ４５の一例を示す図である。ここで４０は、供給用インクを収納したインク収容部、例えば、インク袋であり、その先端にはゴム製の栓４２が設けられている。この栓４２に針（不図示）を挿入することにより、インク袋４０中のインクをヘッドに供給可能にする。４４は、廃インクを受容するインク吸収体である。インク収容部としてはインクとの接液面がポリオレフィン、特にポリエチレンで形成されているものが好ましい。
【００９９】
本発明のインクジェット記録装置は、上述のようにヘッドとインクカートリッジとが別体となったものに限らず、図６に示すような、それらが一体になったものも好ましい形態である。図６において、７０は記録ユニットであり、この中にはインクを収容したインク収容部（ポリオレフィンで形成されているものが好ましい）、例えば、インク吸収性を有するインク保持体が収納されており、かかるインク保持体中のインクが、複数オリフィスを有するヘッド部７１からインク滴として吐出される構成になっている。上記インク保持体は無機化合物を含んでいてもよく、無機化合物のポリマーで構成されているものが好ましい。又、インク保持体の材料としては、ポリウレタン、セルロース、ポリビニルアセテート及びポリオレフィン等から選ばれる化合物を含むことが好ましい。又、インク保持体は、例えば多孔質とすることもできる。更に、インク保持体は、多層構造体とすることもできる。この場合には、多層構造体の多層配列方向が、インク収容部のインク排出方向に配列していることが好ましい。更にまたインク保持体は、繊維集合体とすることもできる。この場合にも、繊維集合体がインク収容部のインク排出方向に配列していることが好ましい。いずれの場合においても、インク保持体は、インク収容部との接触面を有していることが好ましい。又、インク保持体を用いず、インク収容部が内部にバネ等を仕込んだインク袋であるような構造でもよい。７２は、カートリッジ内部を大気に連通させるための大気連通口である。この記録ユニット７０は図４に示す記録ヘッド６５に換えて用いられるものであって、キャリッジ６６に対して着脱自在になっている。
【０１００】
次に、力学的エネルギーを利用したインクジェット記録装置の好ましい一例としては、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。その記録装置の主要部である記録ヘッドの構成の一例を図７に示す。
【０１０１】
ヘッドは、インク室（不図示）に連通したインク流路８０と、所望の体積のインク滴を吐出するためのオリフィスプレート８１と、インクに直接圧力を作用させる振動板８２と、この振動板８２に接合され、電気信号により変位する圧電素子８３と、オリフィスプレート８１、振動板８２等を指示固定するための基板８４とから構成されている。
【０１０２】
図７において、インク流路８０は、感光性樹脂等で形成され、オリフィスプレート８１は、ステンレス、ニッケル等の金属に、電鋳やプレス加工による穴あけ等により吐出口８５が形成されており、振動板８２は、ステンレス、ニッケル、チタン等の金属フィルム及び高弾性樹脂フィルム等で形成され、圧電素子８３は、チタン酸バリウム、ＰＺＴ等の誘電体材料で形成される。以上のような構成の記録ヘッドは、圧電素子８３にパルス状の電圧を与え、歪み応力を発生させ、そのエネルギーが圧電素子８３に接合された振動板を変形させ、インク流路８０内のインクを垂直に加圧し、インク滴（不図示）をオリフィスプレート８１の吐出口８５より吐出して記録を行うように動作する。このような記録ヘッドは、図４に示したものと同様なインクジェット記録装置に組み込んで使用される。インクジェット記録装置の細部の動作は、先述と同様に行うもので差しつかえない。
【０１０３】
【実施例】
次に、実施例及び比較例を挙げて、本発明を更に具体的に説明する。尚、以下の記載で％とあるものは、特に断りのない限り重量基準である。
（実施例群Ｉ：第一の実施態様にかかる実施例及び比較例）
本発明の第１形態にかかるインク、及びこれと比較するためのインクを下記の組成で調製し、実施例Ｉ−１〜２１、及び比較例Ｉ−１〜２０とした。夫々のインクは、下記の各成分を混合及び溶解した後、更に、ポアサイズが０．２μｍのメンブレンフィルターにて加圧ろ過し、各実施例及び比較例のインクを調製した。尚、各実施例及び比較例のインクを構成する色材と、その量比について、表１及び２にまとめて示した。尚、本実施例に用いたＣ．Ｉ．アシッドレッド５２以外の併用染料は全て、ａ*はー２０〜６０の範囲内、ｂ*はー５〜６０の範囲内、そして√（ａ*2＋ｂ*2）は３０以上のものを選択した。
【０１０４】
＜実施例Ｉ−１＞
・Ｃ．Ｉ．アシッドレッド５２        ０．１％
・ダイレクトイエロー１４２        ０．１５％
・チオジグリコール                １０．０％
・グリセリン                        ７．５％
・純水                          ８２．２５％
【０１０５】
＜実施例Ｉ−２＞
・Ｃ．Ｉ．アシッドレッド５２        ０．２％
・ダイレクトレッド２２７            ０．３％
・２−ピロリドン                    ７．０％
・グリセリン                        ５．０％
・尿素                              ７．０％
・純水                            ８０．５％
【０１０６】
＜実施例Ｉ−３＞
・Ｃ．Ｉ．アシッドレッド５２      ０．２７％
・ダイレクトレッド８０            ０．０２％
・ダイレクトイエロー１３２          ０．１％
・グリセリン                        ７．５％
・ジエチレングリコール              ５．０％
・イソプロピレングリコール          ３．０％
・純水                          ８４．１１％
【０１０７】
＜実施例Ｉ−４＞
・Ｃ．Ｉ．アシッドレッド５２      ０．２５％
・ダイレクトレッド８０            ０．１５％
・ダイレクトイエロー８６          ０．１５％
・チオジグリコール                １０．０％
・グリセリン                        ７．５％
・純水                          ８１．９５％
【０１０８】
＜実施例Ｉ−５＞
・Ｃ．Ｉ．アシッドレッド５２      ０．２５％
・ダイレクトレッド２２７          ０．３５％
・チオジグリコール                １０．０％
・グリセリン                        ７．５％
・トリエチレングリコール            ３．０％
・純水                            ７８．９％
【０１０９】
＜実施例Ｉ−６＞
・Ｃ．Ｉ．アシッドレッド５２      ０．２５％
・ダイレクトレッド２２７            ０．４％
・エチレングリコール                ８．０％
・グリセリン                        ６．０％
・トリエチレングリコール            ３．０％
・エタノール                        ５．０％
・純水                          ７７．３５％
【０１１０】
＜実施例Ｉ−７＞
・Ｃ．Ｉ．アシッドレッド５２        ０．３％
・ダイレクトイエロー１３２        ０．２５％
・ダイレクトブルー１９９          ０．０５％
・グリセリン                        ７．５％
・ジエチレングリコール              ５．０％
・イソプロピレングリコール          ３．０％
・純水                            ８３．９％
【０１１１】
＜実施例Ｉ−８＞
・Ｃ．Ｉ．アシッドレッド５２        ０．４％
・ダイレクトブルー１９９          ０．１６％
・チオジグリコール                １０．０％
・グリセリン                        ７．５％
・トリエチレングリコール            ３．０％
・純水                          ７８．９４％
【０１１２】
＜実施例Ｉ−９＞
・Ｃ．Ｉ．アシッドレッド５２      ０．２５％
・ダイレクトレッド８０            ０．０５％
・ダイレクトイエロー８６            ０．３％
・チオジグリコール                １０．０％
・グリセリン                        ７．５％
・純水                            ８１．９％
【０１１３】
＜実施例Ｉ−１０＞
・Ｃ．Ｉ．アシッドレッド５２      ０．２５％
・ダイレクトレッド８０            ０．０５％
・前記に例示した染料１              ０．３％
・チオジグリコール                １０．０％
・グリセリン                        ７．５％
・トリエチレングリコール            ３．０％
・純水                            ７８．９％
【０１１４】
＜実施例Ｉ−１１＞
・Ｃ．Ｉ．アシッドレッド５２      ０．２５％
・ダイレクトレッド８０              ０．１％
・前記に例示した染料２              ０．３％
・エチレングリコール                ８．０％
・グリセリン                        ６．０％
・トリエチレングリコール            ３．０％
・エタノール                        ５．０％
・純水                          ７７．３５％
【０１１５】
＜実施例Ｉ−１２＞
・Ｃ．Ｉ．アシッドレッド５２        ０．３％
・ダイレクトイエロー１３２        ０．２５％
・ダイレクトレッド８０            ０．０５％
・グリセリン                        ７．５％
・ジエチレングリコール              ５．０％
・イソプロピレングリコール          ３．０％
・純水                            ８３．９％
【０１１６】
＜実施例Ｉ−１３＞
・Ｃ．Ｉ．アシッドレッド５２        ０．４％
・ダイレクトイエロー１４２        ０．１６％
・チオジグリコール                １０．０％
・グリセリン                        ７．５％
・トリエチレングリコール            ３．０％
・純水                          ７８．９４％
【０１１７】
＜実施例Ｉ−１４＞
・Ｃ．Ｉ．アシッドレッド５２        ０．１％
・前記に例示した染料１            ０．１５％
・チオジグリコール                １０．０％
・グリセリン                        ７．５％
・純水                          ８２．２５％
【０１１８】
＜実施例Ｉ−１５＞
・Ｃ．Ｉ．アシッドレッド５２        ０．２％
・前記に例示した染料３              ０．３％
・２−ピロリドン                    ７．０％
・グリセリン                        ５．０％
・尿素                              ７．０％
・純水                            ８０．５％
【０１１９】
＜実施例Ｉ−１６＞
・Ｃ．Ｉ．アシッドレッド５２      ０．２５％
・前記に例示した染料１              ０．１％
・前記に例示した染料２            ０．０５％
・グリセリン                        ７．５％
・ジエチレングリコール              ５．０％
・イソプロピレングリコール          ３．０％
・純水                            ８４．１％
【０１２０】
＜実施例Ｉ−１７＞
・Ｃ．Ｉ．アシッドレッド５２      ０．２５％
・前記に例示した染料１              ０．３％
・チオジグリコール                １０．０％
・グリセリン                        ７．５％
・純水                          ８１．９５％
【０１２１】
＜実施例Ｉ−１８＞
・Ｃ．Ｉ．アシッドレッド５２      ０．２５％
・前記に例示した染料２            ０．３５％
・チオジグリコール                １０．０％
・グリセリン                        ７．５％
・トリエチレングリコール            ３．０％
・純水                            ７８．９％
【０１２２】
＜実施例Ｉ−１９＞
・Ｃ．Ｉ．アシッドレッド５２      ０．２５％
・前記に例示した染料５              ０．４％
・エチレングリコール                ８．０％
・グリセリン                        ６．０％
・トリエチレングリコール            ３．０％
・エタノール                        ５．０％
・純水                          ７７．３５％
【０１２３】
＜実施例Ｉ−２０＞
・Ｃ．Ｉ．アシッドレッド５２        ０．３％
・前記に例示した染料１              ０．１％
・前記に例示した染料２              ０．１％
・前記に例示した染料７              ０．１％
・グリセリン                        ７．５％
・ジエチレングリコール              ５．０％
・イソプロピレングリコール          ３．０％
・純水                            ８３．９％
【０１２４】
＜実施例Ｉ−２１＞
・Ｃ．Ｉ．アシッドレッド５２        ０．４％
・前記に例示した染料２            ０．１６％
・チオジグリコール                １０．０％
・グリセリン                        ７．５％
・トリエチレングリコール            ３．０％
・純水                          ７８．９４％
【０１２５】
0004994541.tif 000013
【０１２６】
＜比較例Ｉ−１＞
・Ｃ．Ｉ．アシッドレッド５２        ０．３％
・チオジグリコール                １０．０％
・グリセリン                        ７．５％
・純水                            ８２．２％
【０１２７】
＜比較例Ｉ−２＞
・Ｃ．Ｉ．アシッドレッド５２        ０．２％
・ソルベントグリーン７              ０．３％
・グリセリン                        ７．５％
・ジエチレングリコール              ５．０％
・イソプロピレングリコール          ３．０％
・純水                            ８４．０％
【０１２８】
＜比較例Ｉ−３＞
・Ｃ．Ｉ．アシッドレッド５２        ０．３％
・アシッドイエロー２３            ０．２５％
・グリセリン                        ７．５％
・ジエチレングリコール              ５．０％
・イソプロピレングリコール          ３．０％
・純水                          ８３．９５％
【０１２９】
＜比較例Ｉ−４＞
・Ｃ．Ｉ．アシッドレッド５２      ０．０８％
・ダイレクトイエロー１４２        ０．１５％
・チオジグリコール                １０．０％
・グリセリン                        ７．５％
・純水                          ８２．２７％
【０１３０】
＜比較例Ｉ−５＞
・Ｃ．Ｉ．アシッドレッド５２        ０．３％
・ダイレクトレッド８０            ０．０５％
・ダイレクトイエロー８６          ０．０５％
・グリセリン                        ７．５％
・ジエチレングリコール              ５．０％
・イソプロピレングリコール          ３．０％
・純水                            ８４．１％
【０１３１】
＜比較例Ｉ−６＞
・Ｃ．Ｉ．アシッドレッド５２      ０．２５％
・ダイレクトイエロー１３２        ０．４５％
・エチレングリコール                ８．０％
・グリセリン                        ６．０％
・トリエチレングリコール            ３．０％
・エタノール                        ５．０％
・純水                            ７７．３％
【０１３２】
＜比較例Ｉ−７＞
・Ｃ．Ｉ．アシッドレッド５２      ０．４５％
・ダイレクトイエロー１３２          ０．３％
・グリセリン                        ７．５％
・ジエチレングリコール              ５．０％
・イソプロピレングリコール          ３．０％
・純水                          ８３．７５％
【０１３３】
＜比較例Ｉ−８＞
・Ｃ．Ｉ．アシッドレッド５２      ０．２５％
・ダイレクトレッド２２７            ０．５％
・チオジグリコール                １０．０％
・グリセリン                        ７．５％
・トリエチレングリコール            ３．０％
・純水                          ７８．７５％
【０１３４】
＜比較例Ｉ−９＞
・Ｃ．Ｉ．アシッドレッド５２        ０．１％
・ダイレクトイエロー１４２          ０．１％
・ジエチレングリコール              ８．０％
・グリセリン                        ６．０％
・トリエチレングリコール            ３．０％
・エタノール                        ５．０％
・純水                            ７７．８％
【０１３５】
＜比較例Ｉ−１０＞
・Ｃ．Ｉ．アシッドレッド５２        ０．２％
・ダイレクトレッド２２７          ０．３５％
・２−ピロリドン                    ７．０％
・グリセリン                        ５．０％
・尿素                              ７．０％
・純水                          ８０．４５％
【０１３６】
＜比較例Ｉ−１１＞
・Ｃ．Ｉ．アシッドレッド５２      ０．２５％
・ダイレクトレッド８０              ０．２％
・前記に例示した染料２            ０．２５％
・エチレングリコール                ８．０％
・グリセリン                        ６．０％
・トリエチレングリコール            ３．０％
・エタノール                        ５．０％
・純水                            ７７．３％
【０１３７】
＜比較例Ｉ−１２＞
・Ｃ．Ｉ．アシッドレッド５２      ０．４５％
・ダイレクトイエロー１３２        ０．２５％
・ダイレクトレッド８０            ０．０５％
・グリセリン                        ７．５％
・ジエチレングリコール              ５．０％
・イソプロピレングリコール          ３．０％
・純水                          ８３．７５％
【０１３８】
＜比較例Ｉ−１３＞
・Ｃ．Ｉ．アシッドレッド５２      ０．０８％
・前記に例示した染料１            ０．１５％
・チオジグリコール                １０．０％
・グリセリン                        ７．５％
・純水                          ８２．２７％
【０１３９】
＜比較例Ｉ−１４＞
・Ｃ．Ｉ．アシッドレッド５２      ０．２５％
・前記に例示した染料１            ０．０５％
・前記に例示した染料２            ０．０５％
・グリセリン                        ７．５％
・ジエチレングリコール              ５．０％
・イソプロピレングリコール          ３．０％
・純水                          ８４．１５％
【０１４０】
＜比較例Ｉ−１５＞
・Ｃ．Ｉ．アシッドレッド５２        ０．３％
・前記に例示した染料５            ０．４５％
・エチレングリコール                ８．０％
・グリセリン                        ６．０％
・トリエチレングリコール            ３．０％
・エタノール                        ５．０％
・純水                          ７７．２５％
【０１４１】
＜比較例Ｉ−１６＞
・Ｃ．Ｉ．アシッドレッド５２      ０．４５％
・前記に例示した染料７              ０．３％
・グリセリン                        ７．５％
・ジエチレングリコール              ５．０％
・イソプロピレングリコール          ３．０％
・純水                          ８３．７５％
【０１４２】
＜比較例Ｉ−１７＞
・Ｃ．Ｉ．アシッドレッド５２      ０．２５％
・前記に例示した染料２              ０．５％
・チオジグリコール                １０．０％
・グリセリン                        ７．５％
・トリエチレングリコール            ３．０％
・純水                          ７８．７５％
【０１４３】
＜比較例Ｉ−１８＞
・Ｃ．Ｉ．アシッドレッド５２        ０．１％
・前記に例示した染料９              ０．２％
・ジエチレングリコール              ８．０％
・グリセリン                        ６．０％
・トリエチレングリコール            ３．０％
・エタノール                        ５．０％
・純水                            ７７．７％
【０１４４】
＜比較例Ｉ−１９＞
・Ｃ．Ｉ．アシッドレッド５２        ０．２％
・前記に例示した染料３            ０．３５％
・２−ピロリドン                    ７．０％
・グリセリン                        ５．０％
・尿素                              ７．０％
・純水                          ８０．４５％
【０１４５】
＜比較例Ｉ−２０＞
・Ｃ．Ｉ．アシッドレッド５２        ０．２％
・ダイレクトレッド２２７          ０．３５％
・２−ピロリドン                    ７．０％
・エタノール                        ５．０％
・尿素                              ７．０％
・純水                                  残り
【０１４６】
0004994541.tif 000014
【０１４７】
［評価］
次に、上記で得られた実施例Ｉ−１〜２１及び比較例Ｉ−１〜２０のインクを用いて、下記評価を行った。
（評価１：耐水性）
記録信号に応じた熱エネルギーをインクに付与することによりインクを吐出させるオンデマンド型マルチ記録ヘッドを有するインクジェット記録装置ＢＪＣ−４０００（キヤノン製）を用いて、普通紙（市販の酸性紙）に英数文字を印字し、印字物を１時間以上放置後、文字部に水を滴下し、乾燥した後の印字状態を目視にて観察し評価した。その結果を表３に示した。
【０１４８】
Ａ：印字内容がはっきり判別できる。
Ｂ：印字物が多少薄いが、判別するのに問題のないレベルである。
Ｃ：印字物は残るが、内容を判別しずらい。
Ｄ：印字物は全く残らず、内容を判別できない。
【０１４９】
（評価２：蛍光強度）
記録信号に応じた熱エネルギーをインクに付与することによりインクを吐出させるオンデマンド型マルチ記録ヘッドを有するインクジェット記録装置ＢＪＣ−４０００（キヤノン製）を用いて、普通紙（市販の酸性紙）に５０％の格子縞パターンを印字し、日本分光（株）社製の蛍光光度計（ＦＰ−７５０）を用いて下記の条件のもと蛍光強度を測定した。その結果を下記の基準に従って評価し、表３に示した。その際、励起波長を２６３ｎｍとし、最大蛍光波長での蛍光強度を測定し、得られた測定蛍光強度値を、比較例１のインクの蛍光強度値を１００として標準化し、下記の基準で評価した。その結果を下記表３に示した。
【０１５０】
Ａ：測定蛍光強度値が８０以上である。
Ｂ：測定蛍光強度値が６０〜７９である。
Ｃ：測定蛍光強度値が５０〜５９である。
Ｄ：測定蛍光強度値が４９以下である。
【０１５１】
0004994541.tif 000015
【０１５２】
（実施例群II：第二の実施態様にかかる実施例及び比較例）
本発明の第２形態にかかるインクを下記の組成で調製し、実施例II−１〜２１とした。又、これと比較するためのインクとして、先の第一の実施態様にかかる実施例群Ｉで使用した比較例Ｉ−１〜９及び比較例Ｉ−１１〜２０のインクと同様の組成のものを調製し、比較例II−１〜９及び比較例II−１１〜２０のインクとした。実施例及び比較例の夫々のインクは、下記の各成分を混合及び溶解した後、更に、ポアサイズが０．２μｍのメンブレンフィルターにて加圧ろ過して、各インクを調製した。尚、各実施例のインクを構成する色材と、その量比について、表４にまとめて示した。
【０１５３】
又、実施例で使用したノニオン系界面活性剤は、下記の一般式の構造のものを用いた。式中のｎ＋ｍの値によってＨＬＢの値は変化する。表４中に用いたノニオン系界面活性剤のＨＬＢ値を示した。
【化１９】
0004994541.tif 000016
【０１５４】
＜実施例II−１＞
・Ｃ．Ｉ．アシッドレッド５２        ０．１％
・ダイレクトイエロー１４２        ０．１５％
・チオジグリコール                １０．０％
・グリセリン                        ７．５％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・純水                                  残り
【０１５５】
＜実施例II−２＞
・Ｃ．Ｉ．アシッドレッド５２        ０．２％
・ダイレクトレッド２２７            ０．３％
・２−ピロリドン                    ７．０％
・グリセリン                        ８．０％
・エタノール                        ５．０％
・尿素                              ７．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝５）                      ０．１％
・純水                                  残り
【０１５６】
＜実施例II−３＞
・Ｃ．Ｉ．アシッドレッド５２      ０．２５％
・ダイレクトレッド８０              ０．１％
・ダイレクトイエロー８６          ０．０５％
・グリセリン                        ７．５％
・ジエチレングリコール              ５．０％
・イソプロピレングリコール          ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    １．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝５）                      ０．１％
・純水                                  残り
【０１５７】
＜実施例II−４＞
・Ｃ．Ｉ．アシッドレッド５２      ０．２５％
・ダイレクトレッド８０            ０．１５％
・ダイレクトイエロー８６          ０．１５％
・チオジグリコール                １０．０％
・グリセリン                        ７．５％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    １．５％
・純水                                  残り
【０１５８】
＜実施例II−５＞
・Ｃ．Ｉ．アシッドレッド５２      ０．２５％
・ダイレクトレッド２２７          ０．３５％
・チオジグリコール                １０．０％
・グリセリン                        ７．５％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．５％
・トリエチレングリコール            ３．０％
・純水                                  残り
【０１５９】
＜実施例II−６＞
・Ｃ．Ｉ．アシッドレッド５２      ０．２５％
・ダイレクトレッド２２７            ０．４％
・エチレングリコール                ８．０％
・グリセリン                        ６．０％
・トリエチレングリコール            ３．０％
・エタノール                        ５．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・純水                                  残り
【０１６０】
＜実施例II−７＞
・Ｃ．Ｉ．アシッドレッド５２        ０．３％
・ダイレクトイエロー１３２        ０．２５％
・ダイレクトブルー１９９          ０．０５％
・グリセリン                        ７．５％
・ジエチレングリコール              ５．０％
・イソプロピレングリコール          ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・純水                                  残り
【０１６１】
＜実施例II−８＞
・Ｃ．Ｉ．アシッドレッド５２        ０．４％
・ダイレクトブルー１９９          ０．１６％
・チオジグリコール                １０．０％
・グリセリン                        ７．５％
・トリエチレングリコール            ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・純水                                  残り
【０１６２】
＜実施例II−９＞
・Ｃ．Ｉ．アシッドレッド５２      ０．２５％
・ダイレクトレッド８０            ０．０５％
・ダイレクトイエロー８６            ０．３％
・チオジグリコール                １０．０％
・グリセリン                        ７．５％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・純水                                  残り
【０１６３】
＜実施例II−１０＞
・Ｃ．Ｉ．アシッドレッド５２      ０．２５％
・ダイレクトレッド８０            ０．０５％
・前記に例示した染料１              ０．３％
・チオジグリコール                １０．０％
・グリセリン                        ７．５％
・トリエチレングリコール            ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    １．５％
・純水                                  残り
【０１６４】
＜実施例II−１１＞
・Ｃ．Ｉ．アシッドレッド５２      ０．２５％
・ダイレクトレッド８０              ０．１％
・前記に例示した染料２              ０．３％
・エチレングリコール                ８．０％
・グリセリン                        ６．０％
・トリエチレングリコール            ３．０％
・エタノール                        ５．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    １．５％
・純水                                  残り
【０１６５】
＜実施例II−１２＞
・Ｃ．Ｉ．アシッドレッド５２        ０．３％
・ダイレクトイエロー１３２        ０．２５％
・ダイレクトレッド８０            ０．０５％
・グリセリン                        ７．５％
・ジエチレングリコール              ５．０％
・イソプロピレングリコール          ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    １．５％
・純水                                  残り
【０１６６】
＜実施例II−１３＞
・Ｃ．Ｉ．アシッドレッド５２        ０．４％
・ダイレクトイエロー１４２        ０．１６％
・チオジグリコール                １０．０％
・グリセリン                        ７．５％
・トリエチレングリコール            ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．５％
・純水                                  残り
【０１６７】
＜実施例II−１４＞
・Ｃ．Ｉ．アシッドレッド５２        ０．１％
・前記に例示した染料１            ０．１５％
・チオジグリコール                １０．０％
・グリセリン                        ７．５％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝５）                      ０．１％
・純水                                  残り
【０１６８】
＜実施例II−１５＞
・Ｃ．Ｉ．アシッドレッド５２        ０．２％
・前記に例示した染料３              ０．３％
・２−ピロリドン                    ７．０％
・エタノール                        ５．０％
・尿素                              ７．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・純水                                  残り
【０１６９】
＜実施例II−１６＞
・Ｃ．Ｉ．アシッドレッド５２      ０．２５％
・前記に例示した染料１              ０．１％
・前記に例示した染料２            ０．０５％
・グリセリン                        ７．５％
・ジエチレングリコール              ５．０％
・イソプロピレングリコール          ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．５％
・純水                                  残り
【０１７０】
＜実施例II−１７＞
・Ｃ．Ｉ．アシッドレッド５２      ０．２５％
・前記に例示した染料１              ０．３％
・チオジグリコール                １０．０％
・グリセリン                        ７．５％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    １．５％
・純水                                  残り
【０１７１】
＜実施例II−１８＞
・Ｃ．Ｉ．アシッドレッド５２      ０．２５％
・前記に例示した染料２            ０．３５％
・チオジグリコール                １０．０％
・グリセリン                        ７．５％
・トリエチレングリコール            ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・純水                                  残り
【０１７２】
＜実施例II−１９＞
・Ｃ．Ｉ．アシッドレッド５２      ０．２５％
・前記に例示した染料５              ０．４％
・エチレングリコール                ８．０％
・グリセリン                        ６．０％
・トリエチレングリコール            ３．０％
・エタノール                        ５．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    １．５％
・純水                                  残り
【０１７３】
＜実施例II−２０＞
・Ｃ．Ｉ．アシッドレッド５２        ０．３％
・前記に例示した染料１              ０．１％
・前記に例示した染料２              ０．１％
・前記に例示した染料７              ０．１％
・グリセリン                        ７．５％
・ジエチレングリコール              ５．０％
・イソプロピレングリコール          ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    ２．０％
・純水                                  残り
【０１７４】
＜実施例II−２１＞
・Ｃ．Ｉ．アシッドレッド５２        ０．４％
・前記に例示した染料２            ０．１６％
・チオジグリコール                １０．０％
・グリセリン                        ７．５％
・トリエチレングリコール            ３．０％
・上記一般式の化合物（Ａ及びＢ＝Ｃ4Ｈ7、
Ｘ＝（Ｃ2Ｈ4Ｏ)n、Ｙ＝（Ｃ2Ｈ4Ｏ)m、
ｎ＋ｍ＝１０）                    １．５％
・純水                                  残り
【０１７５】
0004994541.tif 000017
【０１７６】
［評価］
次に、上記で得られた実施例II−１〜２１、及び比較例II−１〜９、比較例II−１１〜２０のインクを用いて、下記評価を行った。得られた結果は、表５にまとめて示した。
（評価１：耐水性）
先に説明した実施例群Ｉで行ったのと同じ方法にて耐水性を評価した。
【０１７７】
（評価２：蛍光強度）
励起波長を２５４ｎｍに変えた以外は上記実施例Ｉ群で行った蛍光強度の測定方法と同様にして、蛍光強度の測定を行った。又、実施例IIの群にかかるインクが、実施例Ｉの群と比較して、より一層強い蛍光強度を示すことを予測して、下記のように、より強い蛍光強度を評価できるように評価基準を設定した。
Ａ：測定蛍光強度値が１２０以上である。
Ｂ：測定蛍光強度値が１１９〜１０１である。
Ｃ：測定蛍光強度値が１００〜８０である。
Ｄ：測定蛍光強度値が７９以下である。
【０１７８】
0004994541.tif 000018
【０１７９】
【発明の効果】
以上説明したように、本発明によれば、耐水性が良好で蛍光性を有する、特には、良好な色調の赤色蛍光インクが得られる。又、本発明によれば、このインクを搭載した記録ユニット、インクカートリッジの提供及び、これを用いたインクジェット記録方法及びインクジェット記録装置により、印字物の耐水性に優れる蛍光画像が提供される。
【図面の簡単な説明】
【図１】インクジェット記録装置のヘッドの一例を示す縦断面図である。
【図２】インクジェット記録装置のヘッドの一例を示す横断面図である。
【図３】図１に示したヘッドをマルチ化したヘッドの外観斜視図である。
【図４】インクジェット記録装置の一例を示す概略斜視図である。
【図５】インクカートリッジの一例を示す縦断面図である。
【図６】記録ユニットの一例を示す斜視図である。
【図７】インクジェット記録ヘッドの別の構成例を示す概略断面図である。
【図８】色材濃度と蛍光強度の程度を説明するための図である。
【図９】色材濃度と蛍光強度の程度を説明するための図である。
【図１０】色材濃度と蛍光強度の程度を説明するための図である。
【図１１】別の色材を併用した場合の蛍光強度の程度を説明するための図である。
【図１２】別の色材を併用した場合の蛍光強度の程度を説明するための図である。
【図１３】別の色材を併用した場合の蛍光強度の程度を説明するための図である。
【図１４】別の色材を併用した場合の蛍光強度の程度を説明するための図である。
【図１５】本発明の蛍光強度を含む発色のメカニズムを説明するための図である。
【図１６】本発明の蛍光強度を含む発色のメカニズムを説明するための図である。
【図１７】本発明の蛍光強度を含む発色のメカニズムを説明するための図である。
【図１８】本発明の蛍光強度を含む発色のメカニズムを説明するための図である。
【図１９】本発明の蛍光強度を含む発色のメカニズムを説明するための図である。
【図２０】本発明の蛍光強度を含む発色のメカニズムを説明するための図である。
【符号の説明】
１３：ヘッド
１４：ノズル
１５：発熱素子基板
１６：保護膜
１７−１、１７−２：電極
１８：発熱抵抗体層
１９：蓄熱層
２０：基板
２１：インク
２２：吐出オリフィス（微細孔）
２３：メニスカス
２４：インク小滴
２５：被記録材
２６：マルチノズル
２７：ガラス板
２８：発熱ヘッド
４０：インク袋
４２：栓
４４：インク保持体
４５：インクカートリッジ
５１：給紙部
５２：紙送りローラー
５３：排紙ローラー
６１：ブレード
６２：キャップ
６３：インク吸収体
６４：吐出回復部
６５：記録ヘッド
６６：キャリッジ
６７：ガイド軸
６８：モーター
６９：ベルト
７０：記録ユニット
７１：ヘッド部
７２：大気連通口
８０：インク流路
８１：オリフィスプレート
８２：振動板
８３：圧電素子
８４：基板
８５：吐出口
８０１：蛍光色材
８０３：インク滴
８０５：溶媒
８０７：セルロース繊維
９０１：定着したインク滴
１００１：定着したインク滴
１１０１：定着したインク滴
１２０１：蛍光色材
１２０３：併用される色材
１２０３−１：化学・物理的に結合した併用される色材
１２０３−３：遊離している併用色材
１３０１：定着したインク滴
１４０１：定着したインク滴
１５０１：第１の有機化合物
１５０３：第２の有機化合物
１５０５：色材
１５０７：水性液媒体
１５０９：被記録材
１９０１：色材と第２の有機化合物の層
１９０３：色材と第１の有機化合物の層
１９０５：気液界面
１９０７：液液界面
２００１：界面活性剤のミセル層
【図１】
0004994541.tif 000020
【図２】
0004994541.tif 000021
【図３】
0004994541.tif 000022
【図４】
0004994541.tif 000023
【図５】
0004994541.tif 000024
【図６】
0004994541.tif 000025
【図７】
0004994541.tif 000026
【図８】
0004994541.tif 000027
【図９】
0004994541.tif 000028
【図１０】
0004994541.tif 000029
【図１１】
0004994541.tif 000030
【図１２】
0004994541.tif 000031
【図１３】
0004994541.tif 000032
【図１４】
0004994541.tif 000033
【図１５】
0004994541.tif 000034
【図１６】
0004994541.tif 000035
【図１７】
0004994541.tif 000036
【図１８】
0004994541.tif 000037
【図１９】
0004994541.tif 000038
【図２０】
0004994541.tif 000039